(57)【要約】      （修正有）【課題】被照明部材を輝度ムラなく均一に照明することが可能な照明装置を提供する。【解決手段】周縁部に被照明部Ｒ２が形成された被照明部材１０と、この被照明部材１０に照明光を供給するための光源２１が配設された回路基板２０と、被照明部材１０と回路基板２０との間に配置される光反射体とを備え、光反射体には、第２の面部Ｓ２を通じて反射される第２照明光Ｌ２を被照明部Ｒ２以外の被照明部材１０箇所に導くための外側反射壁部３３ａと、外側反射壁部３３ａの内側において回路基板２０の板面に対して傾斜した状態で迫り出すように形成され、第１の面部Ｓ１を通じて反射される第１照明光Ｌ１を被照明部Ｒ２に導くための内側反射壁部３２とが設けられている。【選択図】図４
2017090291.tif 000002
【特許請求の範囲】
【請求項１】
少なくともその周縁部に被照明部が形成された被照明部材と、
前記被照明部材に照明光を供給するための光源が配設された回路基板と、
前記被照明部材と前記回路基板との間に配置される光反射体とを備え、
前記照明光は、前記光源の光軸に沿って発せられる第１照明光と、前記光源の光軸から離れた領域に向けて発せられる第２照明光とを有し、
前記回路基板側を向く前記被照明部材の一方の面は、前記第１照明光が通過する機能と前記第１照明光を反射させる機能とを兼ね備えている第１の面部と、前記第２照明光が通過する機能と前記第２照明光を反射させる機能とを兼ね備えている第２の面部とを少なくとも含み、
前記光反射体には、
前記第２の面部を通じて反射される前記第２照明光を前記被照明部を除いた前記被照明部材箇所に導くための外側反射壁部と、
前記外側反射壁部の内側において前記回路基板の板面に対して傾斜した状態で迫り出すように形成され、前記第１の面部を通じて反射される前記第１照明光を前記被照明部に導くための内側反射壁部とが設けられていることを特徴とする照明装置。
【請求項２】
前記内側反射壁部に連なるように設けられる前記外側反射壁部は、その前記光軸方向に沿った高さ寸法が前記内側反射壁部の前記光軸方向に沿った高さ寸法よりも大きい凹面形状により構成されていることを特徴とする請求項１記載の照明装置。
【発明の詳細な説明】
【技術分野】
【０００１】
本発明は、例えば車両用計器に備えられる被照明部材を照明するため照明装置に関するものである。
【背景技術】
【０００２】
従来より、この種の照明装置にあっては、例えば下記特許文献１に記載されているものが知られている。この特許文献１に記載の照明装置は、車両用計器に搭載されるアナログ式速度計とともに組み込まれるインジケータ表示器のごときサブ表示器からなり、中央部に不透過性の警報マークが表示された枠状の透光性インジケータプレート（被照明部材）と、この透光性インジケータプレートに照明光を供給するための単一の点光源（光源）が実装された硬質の回路基板と、点光源を包囲するように透光性インジケータプレートと回路基板との間に配置される枠状のケース体（光反射体）とを備え、点光源は警報マークの真下となる回路基板上に実装されている。
【０００３】
そして、この場合、点光源は、車両に搭載された車速センサや燃料センサ等の各種センサからの信号に基づいて警報を行うべき状況が発生したとき点灯して、当該点光源から発せられる照明光がケース体の内部空間を真上に進み、透光性インジケータプレートに照射されることで警報マークが照明されるようになっている。
【先行技術文献】
【特許文献】
【０００４】
【特許文献１】特開２００８−２６５５８９号公報
【発明の概要】
【発明が解決しようとする課題】
【０００５】
ところで、特許文献１に記載の照明装置の場合、点光源から発せられる照明光は、放射角（光照射領域角度）が大きく、様々な方向へ進むことが考えられる。つまり、光源点から発せられる照明光のうち、光源の光軸及びその近傍から照射される光はその強度が比較的強く、光軸から離れた領域に向けて放射される光はその強度が比較的弱いため、警報マークの照明時において、透光性インジケータプレートは、その中心付近において明るく発光し、当該中心付近から遠ざかるに従って次第に明るさが低下し暗く発光し、透光性インジケータプレート（被照明部材）を輝度ムラなく均一に照明することが困難であるという問題点があった。
そこで本発明は、前述の課題に対して対処するため、被照明部材を輝度ムラなく均一に照明することが可能な照明装置の提供を目的とするものである。
【課題を解決するための手段】
【０００６】
本発明は、少なくともその周縁部に被照明部が形成された被照明部材と、前記被照明部材に照明光を供給するための光源が配設された回路基板と、前記被照明部材と前記回路基板との間に配置される光反射体とを備え、前記照明光は、前記光源の光軸に沿って発せられる第１照明光と、前記光源の光軸から離れた領域に向けて発せられる第２照明光とを有し、前記回路基板側を向く前記被照明部材の一方の面は、前記第１照明光が通過する機能と前記第１照明光を反射させる機能とを兼ね備えている第１の面部と、前記第２照明光が通過する機能と前記第２照明光を反射させる機能とを兼ね備えている第２の面部とを少なくとも含み、前記光反射体には、前記第２の面部を通じて反射される前記第２照明光を前記被照明部を除いた前記被照明部材箇所に導くための外側反射壁部と、前記外側反射壁部の内側において前記回路基板の板面に対して傾斜した状態で迫り出すように形成され、前記第１の面部を通じて反射される前記第１照明光を前記被照明部に導くための内側反射壁部とが設けられていることを特徴とする。
【０００７】
また本発明は、前記内側反射壁部に連なるように設けられる前記外側反射壁部は、その前記光軸方向に沿った高さ寸法が前記内側反射壁部の前記光軸方向に沿った高さ寸法よりも大きい凹面形状により構成されていることを特徴とする。
【発明の効果】
【０００８】
本発明によれば、初期の目的を達成でき、被照明部材を輝度ムラなく均一に照明することが可能な照明装置を提供できる。
【図面の簡単な説明】
【０００９】
【図１】本発明の実施形態による照明装置の正面図。
【図２】図１のＡ−Ａ断面図（ハッチングは省略）。
【図３】同実施形態による被照明部材を取り除いた状態の照明装置の斜視図。
【図４】同実施形態による光源から被照明部材へと至る照明光の光路を示す図。
【発明を実施するための形態】
【００１０】
以下、図１〜図４に基づいて、本発明の実施形態を説明する。なお、以下の説明では、照明装置を正視する視認者側を前方側とし、当該視認者側とは反対側を背後側とする。
【００１１】
図１、図２において、本実施形態による照明装置は、被照明部材としての表示板１０と、この表示板１０に照明光を供給するための光源２１が実装（配設）された回路基板２０と、表示板１０と回路基板２０との間に配置される光反射体３０とを備えている。
【００１２】
表示板１０は、その母材となる略矩形状の透光性基板１１と、この透光性基板１１の表面側（前方側）中央領域に形成される文字や数字等からなる不透過性の表示意匠部１２と、この表示意匠部１２を包囲するように透光性基板１１の表面側（前方側）周縁領域に形成される不透過性の２重の枠状輪郭部１３とを有している。
【００１３】
透光性基板１１は、ポリカーボネート等の透光性の合成樹脂材料によって平
板状に形成される。そして、この場合、回路基板２０側を向く透光性基板１１（表示板１０）の背面（一方の面）Ｓは、光源２１の光軸ＬＡに沿って発せられる後述する第１照明光が通過する機能と前記第１照明光を反射させる機能とを兼ね備えている第１の面部Ｓ１と、光源２１の光軸ＬＡから離れた領域に向けて発せられる後述する第２照明光が通過する機能と前記第２照明光を反射させる機能とを兼ね備えている第２の面部Ｓ２とを少なくとも含むように構成されている。
【００１４】
枠状輪郭部１３は、表示意匠部１２を取り囲むように略枠状に形成される第１の輪郭部１３ａと、所定の隙間を隔てて第１の輪郭部１３ａの外側に略枠状に形成される第２の輪郭部１３ｂとで構成され、第２の輪郭部１３ｂは、略矩形状の透光性基板１１の外端部に沿って略枠状に形成されている。
【００１５】
そして、この場合、表示意匠部１２を除いた第１の輪郭部１３ａの内側箇所は、背後側からの照明光を受けて照明される第１の被照明領域Ｒ１として構成され、第１の輪郭部１３ａと第２の輪郭部１３ｂとの間に形成される前記隙間は、第１の被照明領域Ｒ１と同様に、背後側からの照明光を受けて照明される第２の被照明領域Ｒ２として構成される。この第２の被照明領域Ｒ２は、特許請求の範囲の請求項１に記載されている被照明部に相当する。
【００１６】
つまり、本例における表示板１０には、その中央領域に表示意匠部１２照明用の第１の被照明領域Ｒ１が形成されることになる。また、本例における表示板１０には、その周縁部に第１の被照明領域Ｒ１を包囲するように前記被照明部としての略枠状の第２の被照明領域Ｒ２が形成されることになる。
【００１７】
なお、表示意匠部１２や第１、第２の輪郭部１３ａ、１３ｂは、例えば黒色の遮光性インクによって透光性基板１１の表面に印刷形成された不透過性の黒色印刷層にて構成されている。表示意匠部１２や第１、第２の輪郭部１３ａ、１３ｂは、透光性基板１１の表面ではなく、透光性基板１１の背面Ｓに形成してもよい。
【００１８】
回路基板２０は、例えばガラスエポキシ系基材に配線パターン（図示せず）が施された硬質配線基板からなり、例えば後述する単一の光源２１と、抵抗、コンデンサ等の回路部品（図示せず）とが前記配線パターンに導通接続されている。
【００１９】
光源２１は、適宜色（ここでは白色とする）の光を発するチップ型発光ダイオードからなり、表示板１０の中心部に対応する（つまり表示意匠部１２の直下となる）回路基板２０の表面箇所に実装（配設）され、表示板１０を面発光させるための発光体である。
【００２０】
この場合、例えば光源２１は、その光照射領域角度が光軸ＬＡを中心として左右にそれぞれ略６０度程度の指向性を持つものが採用されている。このことは、光源２１は、その光照射領域角度が略１２０度程度であることを意味している。
【００２１】
つまり、ここでの光源２１から発せられる照明光は、光源２１の光軸ＬＡ（及びその近傍）に沿って発せられる第１照明光Ｌ１と、光源２１の光軸ＬＡから離れた領域に向けて発せられる第２照明光Ｌ２とを有する。
【００２２】
この光軸ＬＡ（及びその近傍）に沿って発せられる第１照明光Ｌ１は、透光性基板１１における背面Ｓの第１の面部Ｓ１に照射（供給）される。また、光軸ＬＡから離れた領域に向けて発せられる第２照明光Ｌ２は、第１の面部Ｓ１の外側に位置する第２の面部Ｓ２に照射（供給）される。
【００２３】
光反射体３０は、例えば光反射性のある白色系の合成樹脂材料によって形成され、単一の光源２１から発せられる照明光を前方側に反射させる機能を有している。この光反射体３０には、光源２１から発せられる照明光が通過する略円形の貫通孔部３１を有する略環状の内側反射壁部３２と、この内側反射壁部３２の周囲（外側）に延伸している外側反射壁部３３とが設けられている（図２、図３参照）。
【００２４】
内側反射壁部３２は、その断面形状が略「ハ」の字形状をなしており、外側反射壁部３３の内側において回路基板２０（表示板１０）の板面に対して傾斜した状態で前方側に僅かに迫り出すように隆起形成される。また、内側反射壁部３２は、透光性基板１１における背面Ｓの第１の面部Ｓ１を通じて反射される第１照明光Ｌ１を被照明部としての第２の被照明領域Ｒ２に導くための光反射面としての機能を有している。
【００２５】
外側反射壁部３３は、内側反射壁部３２を取り巻くように略お椀形状に湾曲している第１の反射部３３ａと、光反射体３０の周壁部を構成する立壁形状からなる第２の反射部３３ｂとが一体形成された構成となっている。第２の反射部３３ｂは、第１の反射部３３ａの外端部分を起点として前方側に延伸している第１の立壁部３３ｃと、第１の反射部３３ａの外端部分を起点として後方側に延伸している第２の立壁部３３ｄとを有している。
【００２６】
また、この場合、内側反射壁部３２に連なるように（つまり内側反射壁部３２と一体的に）設けられる外側反射壁部３３の第１の反射部３３ａは、第２の面部Ｓ２を通じて反射される第２照明光Ｌ２を、主に表示意匠部１２と第１の輪郭部１３ａとの間となる第１の被照明領域Ｒ１箇所（つまり第２の被照明領域Ｒ２を除いた表示板１０箇所）に導くための光反射面としての機能を有し、その光軸ＬＡ方向に沿った高さ寸法が内側反射壁部３２の光軸ＬＡ方向に沿った高さ寸法よりも大きい略凹面形状により構成されている。
【００２７】
以上の各部により照明装置が構成されている。このような構成において、単一の光源２１から発せられた照明光は、光源２１の光軸ＬＡ（及びその近傍）に沿って発せられる第１照明光Ｌ１と、光源２１の光軸ＬＡから離れた領域に向けて発せられる第２照明光Ｌ２とに大別される。
【００２８】
このうち、光軸ＬＡ（及びその近傍）に沿って発せられる比較的強度の強い第１照明光Ｌ１は第１の面部Ｓ１に向けて照射され、この第１の面部Ｓ１に照射された第１照明光Ｌ１は、透光性基板１１を透過する第１透過光（図示せず）と、第１の面部Ｓ１を通じて内側反射壁部３２へと反射導光される第１反射光Ｍ１とにさらに大別される。
【００２９】
そして、透光性基板１１を透過する前記第１透過光によって、表示板１０の略中央領域（つまり表示意匠部１２）に対応する第１の被照明領域Ｒ１箇所が照明される。一方、第１反射光Ｍ１は、図４に示すように内側反射壁部３２にあたった後、放射状に反射導光され、表示板１０の周縁部に形成されている第２の被照明領域Ｒ２に照射（供給）され、被照明部である第２の被照明領域Ｒ２が枠状に照明される。
【００３０】
なお、このとき、第１反射光Ｍ１は、内側反射壁部３２にあたった後、放射状に反射導光される途中で、第１の反射部３３ａもしくは第２の反射部３３ｂの第１の立壁部３３ｃにあたって反射し、最終的に第２の被照明領域Ｒ２に照射（供給）されることになる。
【００３１】
また、光軸ＬＡから離れた領域に向けて発せられる比較的強度の弱い第２照明光Ｌ２は第２の面部Ｓ２に向けて照射され、この第２の面部Ｓ２に照射された第２照明光Ｌ２は、透光性基板１１を透過する第２透過光（図示せず）と、第２の面部Ｓ２を通じて外側反射壁部３３の第１の反射部３３ａへと反射導光される第２反射光Ｍ２とに大別される。
【００３２】
そして、透光性基板１１を透過する前記第２透過光によって、主に表示意匠部１２と第１の輪郭部１３ａとの間となる第１の被照明領域Ｒ１箇所が照明される。一方、第２反射光Ｍ２は、図４に示すように第１の反射部３３ａにあたった後、上述した表示意匠部１２と第１の輪郭部１３ａとの間となる第１の被照明領域Ｒ１箇所に照射（供給）される。
【００３３】
ここで、表示板１０の第１の被照明領域Ｒ１を、主に表示板１０の略中央領域（つまり表示意匠部１２）に対応する第１部分と、主に表示意匠部１２と第１の輪郭部１３ａとの間に対応する第２箇所とに区分けしたと仮定する。
【００３４】
すると、前記第１部分は、光軸ＬＡ（及びその近傍）に沿って発せられる第１照明光Ｌ１のうち、第１の面部Ｓ１で反射せずに透光性基板１１を透過する比較的強度の強い前記第１透過光によって照明され、前記第２部分は、透光性基板１１を透過する比較的強度の弱い前記第２透過光と、第２の面部Ｓ２及び第１の反射部３３ａで反射した比較的強度の弱い第２反射光Ｍ２とを利用して、その輝度（明るさ）が前記第１部分の輝度（明るさ）と略同等となるように照明される。
【００３５】
他方、表示板１０の第２の被照明領域Ｒ２は、光軸ＬＡ（及びその近傍）に沿って発せられる第１照明光Ｌ１のうち、第１の面部Ｓ１及び内側反射壁部３２で反射した比較的強度の強い第１反射光Ｍ１を利用して、その輝度（明るさ）が前記第１、第２部分の輝度（明るさ）と略同等となるように照明される。
【００３６】
なお、この第１反射光Ｍ１は、比較的強度の強い第１照明光Ｌ１の一部として構成されていることから、第２の被照明領域Ｒ２に照射される光の光量は、あまり減衰されずに、ある程度強度が維持された状態となり、第２の被照明領域Ｒ２は、その輝度（明るさ）が前記第１、第２部分の輝度（明るさ）と略同等となるように照明される。
【００３７】
このように本実施形態の場合、第１の面部Ｓ１経由で透光性基板１１を透過する前記第１透過光によって照明される前記第１部分と、第２の面部Ｓ２経由で透光性基板１１を透過する前記第２透過光と第２の面部Ｓ２及び第１の反射部３３ａ経由で反射される第２反射光Ｍ２とを利用（併用）して照明される前記第２部分と、内側反射壁部３２経由で反射される第１反射光Ｍ１を利用して光量が補われた状態で照明される第２の被照明領域Ｒ２との三者の照明バランスが輝度ムラのないように良好に保たれてる構成となり、被照明部材である表示板１０の輝度ムラの発生を十分に抑制することができる。
【００３８】
以上のように、本実施形態では光反射体３０には、第２の面部Ｓ２を通じて反射される第２照明光Ｌ２を表示意匠部１２と第１の輪郭部１３ａとの間となる第１の被照明領域Ｒ１箇所（つまり第２の被照明領域Ｒ２を除いた表示板１０箇所）に導くための外側反射壁部３３と、この外側反射壁部３３の内側において回路基板２０の板面に対して傾斜した状態で迫り出すように形成され、第１の面部Ｓ１を通じて反射される第１照明光Ｌ１を被照明部としての第２の被照明領域Ｒ２に導くための内側反射壁部３２とが設けられていることにより、上述したように前記第１透過光によって照明される前記第１部分と、前記第２透過光と第２反射光Ｍ２とを利用（併用）して照明される前記第２部分と、内側反射壁部３２経由で反射される第１反射光Ｍ１（第１照明光の一部）を利用して光量が補われた状態で照明される第２の被照明領域Ｒ２との三者の照明バランスが輝度ムラのないように良好に保たれ、被照明部材である表示板１０を輝度ムラなく均一に照明することが可能となる。
【００３９】
なお、本発明は、上述の実施形態及び図面によって限定されるものではない。本発明の要旨を変更しない範囲で、適宜、実施形態及び図面に変更（構成要素の削除も含む）を加えることが可能である。
【００４０】
例えば、上述した実施形態では、被照明部材として表示板１０が適用されているものであったが、例えば被照明部材として一対の透明基板間に液晶が封入された受光型の表示素子である液晶表示パネルを適用してもよい。この場合、（周縁部を含む）液晶表示パネル全体が背後からの照明光を受けて照明される被照明部材として構成されるものであり、第２反射光Ｍ２と前記一対の透明基板を透過する前記第１、第２透過光とで前記周縁部（つまり特許請求の範囲における請求項１に記載されている被照明部）を除いた液晶表示パネル箇所が照明され、第１反射光Ｍ１によって前記周縁部が照明される構成となる。
【００４１】
さらには、上述した実施形態では、光反射体３０の前方側に表示板１０が配置されているものであったが、例えば光反射体３０と表示板１０との間に、光反射体３０や表示板１０の外形形状と略同一の外形形状を有する拡散部材（光学部材）を配置してもよい。この拡散部材は、例えば乳白色を有する透光性合成樹脂材料によって薄板状に形成されたものを適用することができ、前記第１、第２透過光及び各反射光Ｍ１、Ｍ２を略均一化させるための光拡散板としての機能を有している。そして、この略均一化された前記第１、第２透過光及び各反射光Ｍ１、Ｍ２は表示板１０（もしくは前記液晶表示パネル）へと導かれることから、表示板１０（もしくは前記液晶表示パネル）をより均一に照明することが可能となる。
【符号の説明】
【００４２】
１０    表示板（被照明部材）
１１    透光性基板
１２    表示意匠部
１３    枠状輪郭部
１３ａ  第１の輪郭線
１３ｂ  第２の輪郭線
２０    回路基板
２１    光源
３０    光反射体
３１    貫通孔部
３２    内側反射壁部
３３    外側反射壁部
３３ａ  第１の反射部
３３ｂ  第２の反射部
３３ｃ  第１の立壁部
３３ｄ  第２の立壁部
ＬＡ    光軸
Ｌ１    第１照明光
Ｌ２    第２照明光
Ｒ１    第１の被照明領域
Ｒ２    第２の被照明領域（被照明部）
Ｓ    透光性基板の背面（透光性基板の一方の面）
Ｓ１    第１の面部
Ｓ２    第２の面部
【図１】
2017090291.tif 000003
【図２】
2017090291.tif 000004
【図３】
2017090291.tif 000005
【図４】
2017090291.tif 000006